(57)【要約】      （修正有）【課題】チップカードを挿入可能なカード型アダプタを提供する。【解決手段】特にエクスプレスカード型アダプタであって、ベース内部に３４ｍｍカード挿入空間を有して回路板を収納し、且つ一側に挿入口があり、別側に位置決め空間があり、回路板の一側に複数の金属接点があり、該カード挿入空間内の回路板の上方に可動式に拡充装置が設置され、拡充装置にスロット部分を出入可能なスライドシートが設けられ、且つスライドシート内にアダプタ端子セットが設けられてスライドし金属接点に接続可能で、スライドシートに位置制限レールが設けられて案内部材が嵌め込まれ、拡充シートがスライドシートの枢接部に枢接され、拡充シートの表面に複数の開孔が設けられ、別側の接続端子セットが複数の接続面で嵌め込まれ、且つ拡充シートとスライドシートに対応しチップカードを挿入できる挿入溝が設けられ、チップカードのデータを伝送でき、カードリーダーに収納しやすい。【選択図】図２
0003149987.tif 000002
【実用新案登録請求の範囲】
【請求項１】
チップカードを挿入可能なカード型アダプタであって、一側の拡充装置を利用してチップカードを挿入可能なエクスプレスカード型アダプタであり、携帯と不使用時の収納に便利で、電子装置に挿入後に該拡充装置を使用しない時は完全に電子装置内部に収納可能であり、カード型アダプタと拡充装置で構成され、
該カード型アダプタはエクスプレスカード型アダプタであり、その内部に３４ｍｍのカード挿入空間を具えたベースを有し、該カード挿入空間の一側に挿入口が設けられ、該挿入口より離れた別側に位置決め空間が形成され、該カード挿入空間内に、一側の電気コネクタで該位置決め空間内に嵌め込まれる回路板が設置され、該回路板の該電気コネクタより離れた別側に複数の金属接点があり、該ベースの外部がシールドケースで被覆され、
該拡充装置は可動式に該カード型アダプタのカード挿入空間内に設置され、該カード型アダプタの挿入口部分を出入可能なスライドシートを具え、並びに該スライドシート内に延伸空間が設けられ、該延伸空間内にスライド後にカード型アダプタの複数の金属接点と接触可能なアダプタ端子セットが設けられ、別側に枢接部が設けられ、さらに該枢接部に、該延伸空間より外向きに移動可能な拡充シートが枢接され、該拡充シートの一側に該スライドシートの枢接部に枢接される連結部が設けられ、該連結部の側辺の該拡充シートの表面に、該スライドシートのアダプタ端子セットに対応する複数の開孔が設けられ、該複数の開孔の別側の該拡充シートの表面に、該スライドシートの延伸空間に対応する拡充空間が凹設され、該拡充空間内に、複数の接続面で各開孔内に嵌め込まれる接続端子セットが設けられ、該延伸空間、拡充空間を利用してチップカード挿入後に接続端子セットとの電気的接続を形成する挿入溝が形成され、該拡充シートの挿入溝の一側に該スライドシートの側辺の案内溝に対向しチップカードを案内する案内溝が形成されたことを特徴とする、チップカードを挿入可能なカード型アダプタ。
【請求項２】
請求項１記載のチップカードを挿入可能なカード型アダプタにおいて、該カード型アダプタのベース外を被覆するシールドケースは上ケース、下ケースを包含し、それぞれ該ベースの二側面を被覆し、該ベース内部のカード挿入空間の回路板に、回動係止部材が設けられ、該回動係止部材に対応する拡充装置のスライドシートの側端にフックと押動体が設けられ、該スライドシートの側端のフックの二側に該ベースの二側の支持棒に設けられたスライドレール内に嵌め込み可能な位置制限部材が設けられ、各位置制限部材に該スライドレール内に嵌め込まれる凸レールが設けられたことを特徴とする、チップカードを挿入可能なカード型アダプタ。
【請求項３】
請求項１記載のチップカードを挿入可能なカード型アダプタにおいて、該拡充装置のスライドシートに設けられた開放式の位置制限溝は、該延伸空間の一側の案内溝部分より円弧形式で別側の枢接部の側辺に延伸され、該スライドシートの枢接部に係止溝が設けられ、該係止溝の二側にロッドを位置決めする軸孔が設けられ、該拡充シートの連結部に該係止溝内に嵌め込まれる凸体が設けられ、該凸体に該係止溝の軸孔に対応して該ロッドが挿入される穿孔が設けられ、該スライドシートの該延伸空間の案内溝側より該枢接部側に開放式の位置制限溝が設けられ、該拡充シートに該スライドシートの位置制限溝内をスライド可能な案内部材が設けられ、該延伸空間の一側の枢接部に、該延伸空間より外向きに、回転、押動或いは引出しにより移動可能な拡充シートが枢接され、該スライドシートに設けられたアダプタ端子セットに、Ｌ形を呈し間隔配列された複数のアダプタ端子が設けられ、複数の該アダプタ端子の一側にスライドして該回路板の該複数の金属接点に接触可能な接触端が設けられ、並びに各接触端より離れた別側に弾性を有する接続端が設けられ、該拡充空間に設けられた接続端子セットは、複数の接続端子を具え、各接続端子はＶ形を呈して間隔配列され、並びに一側にアダプタ端子セットと電気的に接続される接続面が設けられ、各接続面から離れた別側にチップカードと電気的に接触する圧接端が設けられたことを特徴とする、チップカードを挿入可能なカード型アダプタ。
【考案の詳細な説明】
【技術分野】
【０００１】
本考案はチップカードを挿入可能なカード型アダプタ、特に、チップカードを挿入可能なエクスプレスカード型アダプタに係り、そのベース内部に３４ｍｍカード挿入空間を有し並びに挿入口部分より外向きに拡充装置を設置可能で、チップカードを挿入して該カード型アダプタを通してデータを読み取れるようにし、並びにカード型アダプタの既存の外形を保持し、収納に便利であるものに関する。
【背景技術】
【０００２】
現在、各種のクレジットカード、デビットカード等のカード型アダプタが普及し、現金取引の面倒と不便を解消しているが、スキミング被害も増大している。これを防止するため、これらのカード型アダプタにデジタルチップを埋め込んだチップカードが提供されている。それはＩＣチップにデータを保存し、使用者のデータが盗まれるのを防止すると共に、カード型アダプタを使用したショッピング、消費の安全性を保護する。しかし、一般に使用されているチップカードはデータの読み取り、保存時にはカードリーダーが必要であり、それによってチップ内に保存されたデータを伝送する。しかし、カードリーダーの体積は大きく、価格は高く、携帯に不便であり、使用上不便である。このため業者はＬ型のエクスプレス型カード型アダプタの５４ｍｍカードスロットにチップカードも挿入できるようにし、カードリーダー使用の不便を解消している。しかし、Ｌ型のエクスプレス型カード型アダプタ（カード型アダプタ）は実際の使用時に以下のような欠点を有している。
【０００３】
（１）Ｌ型のエクスプレスカード型アダプタ（カード型アダプタ）は全体の幅が大きく、現在の電子、電気製品に求められる軽薄短小の設計理念から、電子、電気製品の設計要求に符合しない。
（２）Ｌ型のエクスプレスカード型アダプタ（カード型アダプタ）は外形の独特の設計のために、収納、携帯時に相当に場所をとり、ぶつかって損壊しやすい。
【考案の概要】
【考案が解決しようとする課題】
【０００４】
ゆえに、いかに従来のカードリーダー、カード型アダプタのチップカード読み取り時に発生する問題、或いはＬ型のエクスプレスカード型アダプタ（カード型アダプタ）のデータ伝送の不便の問題を解決するかが、業界の研究改善の方向である。
【課題を解決するための手段】
【０００５】
本考案は、エクスプレスカード型アダプタを提供することにあり、そのベース内部に３４ｍｍカード挿入空間を有し、該カード挿入空間内に回路板を収納し、該回路板の一側に複数の金属接点があり、該カード挿入空間内に可動式に拡充装置が設置され、該拡充装置はスライドシート内に設けられたアダプタ端子セットを利用し、スライド方式で該回路板の該複数の金属接点と電気的に接続可能で、該スライドシートに枢接部が設けられ、拡充シートが可動式に該枢接部に枢接可能とされ、並びに該拡充シートの表面に複数の開孔が設けられ、別側の該接続端子セットが複数の接続面でそれぞれ嵌め込まれ、複数の開孔内に嵌め込まれた各接続面がアダプタ端子セットに電気的に接続され、並びに別側表面に接続端子セットが設けられ、且つ該拡充シートに該スライドシートに対応してチップカード挿入に供される挿入溝が設けられ、カード型アダプタがチップカードのデータ伝送を行えるようにする目的を達成し、カード型アダプタのサイズ、外形を保持し、カードリーダー内に挿入されて電気的に接続され、完全収納の作用を達成し、並びにカードリーダー外部に突出部を形成しない。
【０００６】
本考案は、該カード型アダプタの挿入空間の一側の挿入口部分に、スライド式に出入可能な拡充装置を設け、並びに使用時に拡充装置のスライドシートを挿入口外に押し出し、並びにスライドシートに枢接された拡充シートを一側に向けて回動させ展開するか或いは押し出して展開し、チップカードを挿入しデータを伝送でき、拡充装置を不使用の時、拡充シートを回動（或いは押動）してスライドシートの延伸空間内に収納し、さらに拡充装置のスライドシートをカード型アダプタの挿入空間内に挿入でき、カード型アダプタを直線型としてもとのサイズに戻し、収納、携帯、使用に便利とし、場所をとらないようにする。
【考案の効果】
【０００７】
上述の本考案のカード型アダプタを実際に使用する時は、以下のような優れた点を有している。
（１）エクスプレスカード型アダプタ内部の３４ｍｍのカード挿入空間１０に、可動式に拡充装置２が枢接され、これにより拡充により大サイズの挿入溝２０（約５４ｍｍ）を形成し、大サイズのチップカード３を挿入しデータ伝送を行える。且つ拡充装置２を不使用時にカード挿入空間１０内に収納でき、カード型アダプタ１の直線形態とサイズを保持し、電子、電気製品の軽薄短小の設計理念に符合し、並びに完全に電子装置内部に収納でき、外部に露出或いは突出しない。
（２）エクスプレスカード型アダプタの外形は直線状で収納、保存に便利で、携帯使用に便利で、外物に衝突したり、摩擦を発生したりしにくい。
（３）エクスプレスカード型アダプタを拡充して大サイズの挿入溝２０を形成できることから、別にカードリーダーを購入しなくてもよく、場所をとらない。また、コンピュータ周辺設備の使用量を減らせ、コンピュータ設備のコネクタスロットを占用せず、コンピュータ設備のコネクタスロットを他の用途に運用できる。
【０００８】
本考案は特にエクスプレスカード型アダプタの内部に可動式に拡充装置を設置し、カード型アダプタの挿入口部分より収納或いは展開することができ、チップカードを挿入して電気的に接続してデータ伝送を行うことが主要な保護の重点であり、カード型アダプタがもともと有している３４ｍｍのカード挿入空間を拡充して約５４ｍｍとすることができ、大サイズのチップカードを挿入できるようにする。
【図面の簡単な説明】
【０００９】
【図１】本考案の立体外観図である。
【図２】本考案の立体分解図立体分解図である。
【図３】本考案の拡充装置の立体分解図である。
【図４】本考案の拡充装置がカード挿入空間に位置決めされた立体外観図である。
【図５】本考案の拡充装置がカード挿入空間よりスライド式に引き出された立体外観図である。
【図６】本考案の拡充装置の展開方式の立体外観図である。
【図７】本考案の好ましい実施例の表示図である。
【考案を実施するための形態】
【００１０】
図１、２、３の本考案の立体外観図、立体分解図、拡充装置の立体分解図を参照されたい。これらの図から分かるように、本考案のエクスプレスカード型アダプタは、カード型アダプタ１、拡充装置２で構成される。
【００１１】
該カード型アダプタ１はエクスプレス型でフラットタイプとされ、そのベース１１内部に３４ｍｍのカード挿入空間１０を具え、二側にスライドレール１１１が設けられ、該カード挿入空間１０の一側に位置決め空間１１２が区画、形成され、別側に挿入口１１３が設けられ、且つカード挿入空間１０内に回路板１２が取付けられ、回路板１２の一側に電気コネクタ１２１が設けられ、別側に複数の金属接点１２２が設けられ、且つ電気コネクタ１２１に近い回路板１２上に可動式の回動係止部材１２３が設けられ、さらに回路板１２の外部のベース１１の２側表面がシールドケース１３の上ケース１３１と下ケース１３２で被覆される。
【００１２】
該拡充装置２はスライドシート２１と拡充シート２２で構成される。該スライドシート２１内部に延伸空間２１０があり、延伸空間２１０内にアダプタ端子セット２１１が位置決めされ、並びにアダプタ端子セット２１１のＬ型を呈する複数のアダプタ端子２１１１の一側に、接触端２１１２が設けられ、別側はそれぞれ接続端２１１３を有する。延伸空間２１０の一側に案内溝２１２が設けられ、別側に枢接部２１３が設けられ、該枢接部２１３は係止溝２１３１を具え、さらに係止溝２１３１の二側壁面に貫通する軸孔２１３２が設けられ、軸孔２１３２にロッド２１３３が挿入、位置決めされる。枢接部２１３と案内溝２１２間の表面に、開口状の位置制限溝２１４が設けられ、位置制限溝２１４は案内溝２１２側より円弧状に延伸されて枢接部２１３の一側にいたる。案内溝２１２、枢接溝２１３の別側にフック２１５と押圧体２１６が設けられ、並びにフック２１５と押圧体２１６の二側にそれぞれ位置制限部材２１７が設けられ、各位置制限部材２１７に凸レール２１７１が設けられている。枢接部２１３に拡充シート２２の連結部２２１が枢接され、該連結部２２１は凸体２２１１を具え、さらに凸体２２１１に穿孔２２１２が設けられ、且つ連結部２２１の側辺の拡充シート２２に係合体２２２が嵌合され、係合体２２２は拡充シート２２に跨設され、別側に案内部材２２２１が設けられている。凸体２２１１が枢接部２１３の係止溝２１３１内に嵌め込まれ、並びに穿孔２２１２が枢接部２１３の軸孔２１３２に整合され、さらにロッド２１３３が軸孔２１３２、穿孔２２１２内に挿入されることで、拡充シート２２が連接部２２１でスライドシート２１の枢接部２１３に枢接される。且つ拡充シート２２の連結部２２１の側辺に複数の開孔２２３が設けられ、該複数の開孔２２３に接続端子セット２２４の接続面２２４２が嵌め込まれ、複数の接続面２２４２が複数の開孔２２３表面より突出する。接続端子セット２２４はＶ形を呈し間隔配列された複数の接続端子２２４１を具え、複数の接続端子２２４１の一側は接続面２２４２を具え、別側に圧接端２２４３を具えている。且つ拡充シート２２の複数の開孔２２３の別側表面に、拡充空間２２０が設けられ、該拡充空間２２０に接続端子セット２２４を収納可能である。さらに拡充空間２２０の一側に案内溝２２５が設けられ、拡充シート２２の一側の案内溝２２５がスライドシート２１の一側の案内溝２１２に対向し、拡充空間２２０とスライドシート２１の延伸空間２１０に案内溝２１２と案内溝２２５が組合されることで、チップカード３規格の挿入溝２０が形成される。
【００１３】
上述の各部品が組み合わされる時、カード型アダプタ１のカード挿入空間１０に拡充シート２２が挿入され、並びにベース１１二側のスライドレール１１１に、拡充装置２のスライドシート２１のフック２１５の二側の位置制限部材２１７に設けられた凸レール２１７１が嵌め込まれ、さらにフック２１５がカード挿入空間１０内の回路板１２上の回動係止部材１２３を係止し、且つ拡充シート２２の案内部材２２２１がスライドシート２１の位置制限溝２１４に嵌め込まれることで、拡充シート２２が連結部２２１でスライドシート２１の枢接部２１３に枢接されて、連結部２２１、枢接部２１３を軸心として拡充シート２２がスライドシート２１の延伸空間２１０内で回動して進出可能となる。並びに案内部材２２２１が位置制限溝２１４内でスライドして位置制限溝２１４の位置制限を受けることで、案内部材２２２１に連帯して拡充シート２２が円弧線状に回動し、拡充装置２のカード挿入空間１０内の設置を達成し、こうして本考案のカード型アダプタ１の構造が構成される。
【００１４】
上述の拡充装置２は、スライドシート２１の延伸空間２１０の一側の枢接部２１３が拡充シート２２に可動式に枢接されて、拡充シート２２が延伸空間２１０内で回動、押動或いは引き出す等の方式で、延伸空間２１０外に向けて移動可能であり、スライドシート２１の延伸空間２１０、拡充シート２２の拡充空間２２０、並びに案内溝２１２及び案内溝２２５の組合せにより、比較的大きなサイズ（約５４ｍｍ）の挿入溝２０を形成できる。
【００１５】
図２、４、５、６、７は本考案の立体分解図、拡充装置がカード挿入空間に位置決めされた立体外観図、拡充装置がカード挿入空間よりスライド式に引き出された立体外観図、拡充装置の展開方式の立体外観図、好ましい実施例の表示図である。これらの図から分かるように、本考案のカード型アダプタ１は使用時に、そのカード挿入空間１０内に拡充装置２を収納し、カード型アダプタ１にチップカード３を挿入する時は、拡充装置２の一側をカード挿入空間１０内に向けて移動させ、すなわち拡充装置２のスライドシート２１の一側のフック２１５を回路板１２の回動係止部材１２３より分離し、押圧体２１６を回動係止部材１２３に圧接して、フック２１５がそれ以上回動係止部材１２３に係合しないようにする。そして、拡充装置２のスライドシート２１、拡充シート２２を一体にカード型アダプタ１の挿入口１１３の外側に引出し、並びにスライドシート２１内のアダプタ端子セット２１１の複数の接触端２１１２を回路板１２の複数の金属接点１２２に接触させる。さらに拡充シート２２をスライドシート２１の一側に向けて押し出し、拡充シート２２を連結部２２１と枢接部２１３を軸心とし、回転させてスライドシート２１の外側に至らせ、並びに拡充シート２２の複数の開孔２２３より突出する接続端子セット２２４の複数の接続面２２４２を、スライドシート２１のアダプタ端子セット２１１の複数の接続端２１１３に接触させ、こうして接続端子セット２２４とアダプタ端子セット２１１の電気的導通を達成すると共に、拡充シート２２の接続端子セット２２４、スライドシート２１のアダプタ端子セット２１１と回路板１２の複数の金属接点１２２の電気的導通を達成する。スライドシート２１内の延伸空間２１０、拡充シート２２の拡充空間２２０が組み合わされてチップカード３規格の幅の挿入溝２０を形成し、チップカード３の挿入に供する。且つ挿入溝２０の二側の案内溝２１２、案内溝２２５によりチップカード３を案内し挿入溝２０内部に挿入させ、並びにチップカード３の複数の金属接点３１が、拡充シート２２の接続端子セット２２４の複数の圧接端２２４３と電気的に接触し、こうしてチップカード３のデータが接続端子セット２２４、アダプタ端子セット２１１を通し、さらに回路板１２の別側の電気コネクタ１２１により、外部に設けられた電子、電気製品に送られる。
【００１６】
カード型アダプタ１によりチップカード３のデータが伝送された後、チップカード３が拡充装置２の挿入溝２０より抜き取られ、拡充シート２２がスライドシート２１の延伸空間２１０に向けて押動され、拡充シート２２が連結部２２１と枢接部２１３を軸心とし、且つ案内部材２２２１が位置制限溝２１４の円弧に沿ってスライドすることで、拡充シート２２がスライドシート２１に平行とされ、並びに拡充シート２２が延伸空間２１０内に収容され、拡充装置２がカード型アダプタ１のカード挿入空間１０内に押し込まれ、並びにスライドシート２１の別側のフック２１５が再び回路１２の回動係止部材１２３に係合することで、拡充装置２がカード型アダプタ１内に収納され、且つカード型アダプタ１のもとのサイズが保持され、並びにカード型アダプタ１のサイズを改変或いは増加することなく、すなわち、カード型アダプタ１のもとのサイズ（３４ｍｍ）のカード挿入空間１０により、カード型アダプタ１の既存のサイズを保持し、携帯に便利とし、並びに電子、電気製品の軽薄短小の設計概念に符合し、場所をとらず、且つカード型アダプタ１を電子装置（ノートパソコン、ＰＤＡ或いはデスクトップパソコン）等のカードリーダー内に挿入し、カード型アダプタ１を完全に電子装置内に収納して電子装置外部に突出させず、電子装置の外部を整然とした状態に保持する。
【００１７】
以上は本考案の好ましい実施例の説明であり、本考案の請求範囲を限定するものではない。本考案のエクスプレスカード型アダプタは、３４ｍｍのカード挿入空間１０内に拡充装置２が枢接され、並びに拡充装置２は挿入口１１３より外向きに押し出すことができ、並びに拡充装置２のスライドシート２１に拡充シート２２が枢接されて側辺に向けて展開可能で、比較的大サイズ（約５４ｍｍ）の挿入溝２０を達成し、拡充装置２の挿入溝２０にチップカード３を挿入できる目的を達成する。並びに接続端子セット２２４、アダプタ端子セット２１１を通し、さらに回路板１２を通し電気コネクタ１２１で対外伝送し、カード型アダプタ１（３４ｍｍ）拡充後（約５４ｍｍ）に、大サイズのチップカード３（約５４ｍｍ）挿入の目的を達成する。
【符号の説明】
【００１８】
１  カード型アダプタ
１０  カード挿入空間          １２１  電気コネクタ
１１  ベース                  １２２  金属接点
１１１  スライドレール        １２３  回動係止部材
１１２  位置決め空間          １３  シールドケース
１１３  挿入口                １３１  上ケース
１２  回路板                  １３２  下ケース
２  拡充装置
２０  挿入溝                  ２１７  位置制限部材
２１  スライドシート          ２１７１  凸レール
２１０  延伸空間              ２２  拡充シート
２１１  アダプタ端子セット    ２２０  拡充空間
２１１１  アダプタ端子        ２２１  連結部
２１１２  接触端              ２２１１  凸体
２１１３  接続端              ２２１２  穿孔
２１２  案内溝                ２２２  係合体
２１３  枢接部                ２２２１  案内部材
２１３１  係止溝              ２２３  開孔
２１３２  軸孔                ２２４  接続端子セット
２１３３  ロッド              ２２４１  接続端子
２１４  位置制限溝            ２２４２  接続面
２１５  フック                ２２４３  圧接端
２１６  押圧体                ２２５  案内溝
３  チップ
３１  金属接点
【図１】
0003149987.tif 000003
【図２】
0003149987.tif 000004
【図３】
0003149987.tif 000005
【図４】
0003149987.tif 000006
【図５】
0003149987.tif 000007
【図６】
0003149987.tif 000008
【図７】
0003149987.tif 000009